(57)【特許請求の範囲】
【請求項１】
タッチパネル付き表示部を有する電子機器において、
前記表示部に表示されている対象がユーザによりタッチされ、ドラッグされた場合に、ドラッグされた対象が軌跡を表示する対象であるか否かを判断し、軌跡を表示する対象でないと判断した場合には、前記ドラッグに応じて前記対象を移動表示するドラッグ手段と、
前記表示部に表示されている対象がユーザによりタッチされ、ドラッグされた場合に、ドラッグされた対象が軌跡を表示する対象であるか否かを判断し、軌跡を表示する対象であると判断した場合には、前記ドラッグに応じて前記対象を移動表示するとともに、前記ドラッグの操作で最初にタッチされた位置と移動途中の軌跡上の位置に、前記最初にタッチされた位置に表示される目印と前記移動途中の軌跡上の位置に表示される目印とを互いに異なるように識別される態様で表示画面データに合成するタッチ位置合成手段と、
前記ドラッグの対象が移動表示される表示画面データあるいは前記ドラッグの対象が移動表示されるとともに前記目印が合成された表示画面データをプロジェクタへ出力する表示データ出力手段と、
を備えたことを特徴とする電子機器。
【請求項２】
前記タッチ位置合成手段は、ドラッグされた軌跡上に表示される目印を一定時間合成することを特徴とする請求項１に記載の電子機器。
【請求項３】
プロジェクタとの接続を検出する接続検出手段を備え、
前記タッチ位置合成手段は、前記接続検出手段が前記プロジェクタとの接続を検出した場合に目印を表示画面データに合成する請求項１または２に記載の電子機器。
【発明の詳細な説明】
【技術分野】
【０００１】
本発明は、タッチパネル式の表示画面を備えた携帯端末などのタッチパネル式電子機器に関する。
【背景技術】
【０００２】
近年、タッチパネル式の表示画面を備えた携帯端末が急速に普及して実用されている。また従来は、一般にノートＰＣをプロジェクタに接続して同ＰＣの表示データをスクリーンに投影表示させプレゼンテーションをしていたが、最近はＰＣに代えて携帯性に優れる前記タッチパネル式の携帯端末（タブレットＰＣ）を使用するケースが増えている。
【０００３】
前記ノートＰＣをプロジェクタに接続して同ノートＰＣの表示データをスクリーンに投影表示させた場合、ユーザ操作に伴うマウスポインタも画面上に表示されるので、聴取者はリアルタイムに説明者の操作位置を把握でき、その意図が分かり易い利点がある。
【０００４】
しかしながら、前記タッチパネル式の携帯端末を使用した場合、その表示画面にユーザ操作に対応したマウスポインタ等は表示されないため、プロジェクタによって投影表示された当該表示画面からでは、聴取者は説明者の操作位置を把握し辛く、例えば表示データが突然変化するなど、その意図が理解し難い問題があった。
【０００５】
従来のプレゼンテーションシステムにおいて、プレゼンテーションの途中に、その表示内容に対して手書きの画像を合成して表示させ、当該合成表示された手書き画像を設定時間の経過後か又はボタン操作により自動消去する手書き入力表示装置が考えられている（例えば、特許文献１参照。）。
【先行技術文献】
【特許文献】
【０００６】
【特許文献１】特開２００７−０８０００５号公報
【発明の概要】
【発明が解決しようとする課題】
【０００７】
タッチパネル式の携帯端末をプロジェクタに接続してプレゼンテーションする場合に、説明者の操作内容を聴取者が容易に把握できるようにすることが望まれる。
【０００８】
本発明は、このような課題に鑑みなされたもので、タッチパネル式の携帯端末をプロジェクタに接続してプレゼンテーションする場合に、タッチ操作の位置を操作対象の表示内容に応じて適切に投影表示することが可能になるタッチパネル式電子機器を提供することを目的とする。
【課題を解決するための手段】
【０００９】
本発明に係る電子機器は、タッチパネル付き表示部を有する電子機器において、前記表示部に表示されている対象がユーザによりタッチされ、ドラッグされた場合に、ドラッグされた対象が軌跡を表示する対象であるか否かを判断し、軌跡を表示する対象でないと判断した場合には、前記ドラッグに応じて前記対象を移動表示するドラッグ手段と、前記表示部に表示されている対象がユーザによりタッチされ、ドラッグされた場合に、ドラッグされた対象が軌跡を表示する対象であるか否かを判断し、軌跡を表示する対象であると判断した場合には、前記ドラッグ応じて前記対象を移動表示するとともに、前記ドラッグ操作で最初にタッチされた位置と移動途中の軌跡上の位置に、前記最初にタッチされた位置に表示される目印と前記移動途中の軌跡上の位置に表示される目印とを互いに異なるように識別される態様で表示画面データに合成するタッチ位置合成手段と、前記ドラッグ対象が移動表示される表示画面データあるいは前記ドラッグ対象が移動表示されるとともに前記目印が合成された表示画面データをプロジェクタへ出力する表示データ出力手段と、を備えたことを特徴としている。
【発明の効果】
【００１１】
本発明によれば、タッチパネル式の携帯端末をプロジェクタに接続してプレゼンテーションする場合に、タッチ操作の位置を操作対象の表示内容に応じて適切に投影表示することが可能になるタッチパネル式電子機器を提供できる。
【図面の簡単な説明】
【００１２】
【図１】本発明の実施形態に係るタッチパネル式グラフ関数電卓１０を使用したプロジェクタ表示システムの外観構成を示す図。
【図２】前記プロジェクタ表示システムの教師用端末として使用されるタッチパネル式グラフ関数電卓１０の電子回路の構成を示すブロック図。
【図３】前記タッチパネル式グラフ関数電卓１０による第１実施形態の電卓処理を示すフローチャート。
【図４】前記タッチパネル式グラフ関数電卓１０のタッチ操作に応じた電卓画面Ｇのプロジェクタ表示動作（具体例１）を示す図。
【図５】前記タッチパネル式グラフ関数電卓１０のタッチ操作に応じた電卓画面Ｇのプロジェクタ表示動作（具体例２）を示す図。
【図６】本発明の第２実施形態に係るプロジェクタ表示システムに使用されるプロジェクタ２０の電子回路の構成を示すブロック図。
【図７】前記タッチパネル式グラフ関数電卓１０による第２実施形態の電卓処理を示すフローチャート。
【図８】前記プロジェクタ２０による第２実施形態のプロジェクタ処理を示すフローチャート。
【発明を実施するための形態】
【００１３】
以下図面により本発明の実施の形態について説明する。
【００１４】
図１は、本発明の実施形態に係るタッチパネル式グラフ関数電卓１０を使用したプロジェクタ表示システムの外観構成を示す図である。
【００１５】
本実施形態のプロジェクタ表示システムでは、例えば教育現場において、教師によりタッチ操作されるタッチパネル式グラフ関数電卓１０をプロジェクタ２０に接続する。そして、当該プロジェクタ２０によりスクリーン３０に投影表示される電卓画面Ｇを生徒が見ながら学習する場合について説明する。
【００１６】
図１において、グラフ関数電卓１０のタッチパネル表示部１４には、式（グラフ式）入力画面ｇａとグラフ表示画面ｇｂとからなる電卓画面Ｇが表示されており、この電卓画面Ｇの表示データがプロジェクタ２０に出力され、スクリーン３０に投影されて表示されている。
【００１７】
このプロジェクタ表示システムは、グラフ関数電卓１０のタッチパネル表示部１４において、教師によりタッチ操作された位置やその移動軌跡に応じて、タッチ位置ポインタやその移動軌跡ポインタを表示させる機能を有する。
【００１８】
例えば、式入力画面ｇａに入力表示された関数式「ｘ２＋２ｘ−２」をグラフ表示画面ｇｂにドラッグ＆ドロップしてグラフ化表示させる際に、式入力画面ｇａの関数式「ｘ２＋２ｘ−２」がタッチ操作Ｔされて反転表示ｈされると、タッチパネル表示部１４にて検出されるタッチ位置座標に応じて、最初のタッチ位置ポインタＭ１が赤色で識別されて表示される。続いて、前記タッチ操作Ｔにより反転表示ｈされた関数式「ｘ２＋２ｘ−２」がグラフ表示画面ｇｂへドラッグされると、その移動軌跡Ｈに応じた移動軌跡ポインタＭ２，Ｍ３，Ｍ４が順次表示される。この際、最新タッチ位置に対応する移動軌跡ポインタＭ４は点滅により識別されて表示される。そして、前記ドラッグされた関数式「ｘ２＋２ｘ−２」がグラフ表示画面ｇｂにドロップされると、前記一連の移動軌跡ポインタＭ１〜Ｍ４が一定時間表示保持された後に消去され、当該ドロップされた関数式「ｘ２＋２ｘ−２」に対応するグラフが描画表示される。
【００１９】
これにより、スクリーン３０に投影表示された電卓画面Ｇを見ている生徒であっても、グラフ関数電卓１０の電卓画面Ｇ（タッチパネル表示部１４）に対する教師によるタッチ操作の内容を明確に把握して、その意図を容易に理解することができる。
【００２０】
なお、前記プロジェクタ２０によって投影表示される電卓画面Ｇに、グラフ関数電卓１０のタッチ操作Ｔに応じたタッチ位置ポインタＭ１や移動軌跡ポインタＭ１〜Ｍｎを表示させる等の機能は、後述の第１実施形態として説明するように、グラフ関数電卓１０の単体に持たせてもよいし、さらに後述の第２実施形態として説明するように、プロジェクタ表示システムの全体（グラフ関数電卓１０及びプロジェクタ２０）に持たせてもよい。
【００２１】
（第１実施形態）
図２は、前記プロジェクタ表示システムの教師用端末として使用されるタッチパネル式グラフ関数電卓１０の電子回路の構成を示すブロック図である。
【００２２】
このグラフ関数電卓１０は、コンピュータであるＣＰＵ１１を備えている。
【００２３】
ＣＰＵ１１は、フラッシュＲＯＭなどの記憶装置１２に予め記憶されるか外部から読み込まれた電卓制御プログラムに基づき、キー入力部１３からのキー入力信号やタッチパネル表示部１４からのタッチ位置検出信号に応じて回路各部の動作を制御する。
【００２４】
また、前記ＣＰＵ１１には、作業用メモリとして機能するＲＡＭ１５が接続され、当該ＲＡＭ１５には、ＣＰＵ１１の制御動作に応じた作業用のデータが必要に応じて一時的に記憶される。
【００２５】
前記ＲＡＭ１５には、表示データメモリ１５ａ、タッチ座標データメモリ１５ｂ、合成データメモリ１５ｃの他、図示しない入力式データメモリ、計算データメモリ、グラフデータメモリ、表データメモリ、図形データメモリ等が備えられる。
【００２６】
前記表示データメモリ１５ａには、前記タッチパネル表示部１４に表示すべき表示データがビットマップのデータに展開されて記憶される。
【００２７】
前記タッチ座標データメモリ１５ｂには、前記タッチパネル表示部１４により検出されたタッチ操作Ｔの位置に対応した座標データが記憶される。
【００２８】
前記合成データメモリ１５ｃには、前記表示データメモリ１５ａと同じサイズのメモリ領域が確保され、当該表示データメモリ１５ａに展開した前記電卓画面Ｇの表示データに合成して表示させるべきタッチ位置ポインタＭ１等の合成表示データがビットマップのデータに展開されて記憶される。
【００２９】
また、前記ＣＰＵ１１には出力インターフェイス１６が接続され、前記表示データメモリ１５ａに展開された電卓画面Ｇの表示データ、あるいは前記合成データメモリ１５ｃに展開された合成表示データを合成した電卓画面Ｇの表示データは、当該出力インターフェイス１６によりプロジェクタ２０へ出力される。
【００３０】
なお、この第１実施形態のプロジェクタ表示システムでは、プロジェクタ２０は特別な機能を有さず、前記グラフ関数電卓１０の出力インターフェイス１６から出力された電卓画面Ｇの表示データをそのままスクリーン３０に投影して表示する。
【００３１】
次に、前記構成のタッチパネル式グラフ関数電卓１０を使用したプロジェクタ表示システムの動作について説明する。
【００３２】
図３は、前記タッチパネル式グラフ関数電卓１０による第１実施形態の電卓処理を示すフローチャートである。
【００３３】
タッチパネル式グラフ関数電卓１０の電源がＯＮされ、プロジェクタ２０との接続が検知されると（ステップＳ１（Ｙｅｓ））、キー入力部１３またはタッチパネル表示部１４からのユーザ操作に応じた入力待ちの状態となる（ステップＳ２）。
【００３４】
ここで、キー入力部１３からキー信号が入力されると（ステップＳ３（Ｙｅｓ））、入力されたキー信号に応じた動作が実行されて電卓画面Ｇの表示データが生成され（ステップＳ４）、タッチパネル表示部１４に表示されると共に、出力インターフェイス１６からプロジェクタ２０へ出力されてスクリーン３０に投影表示される（ステップＳ５）。
【００３５】
すなわち、例えば数式がキー入力されると、当該キー入力された数式を展開した電卓画面Ｇが表示出力される。
【００３６】
図４は、前記タッチパネル式グラフ関数電卓１０のタッチ操作に応じた電卓画面Ｇのプロジェクタ表示動作（具体例１）を示す図である。
【００３７】
例えば、図４（Ａ）に示すように、タッチパネル表示部１４に電卓メニュー画面Ｇｍを表示させた入力待ちの状態で（ステップＳ２）、任意のアイコン（例えば図形処理アイコン”Geometry”）がタッチ操作されたと判断されると（ステップＳ６，Ｓ７（Ｙｅｓ））、当該タッチ操作位置の座標データに応じて合成データメモリ１５ｃにタッチ位置ポインタＭｓが書き込まれ、前記電卓メニュー画面Ｇｍの図形処理アイコン”Geometry”のタッチ位置に合成されて一定時間表示される（ステップＳ８）。この際、前記タッチ位置ポインタＭｓは赤色で識別されて表示される。
【００３８】
そして、前記電卓メニュー画面Ｇｍの図形処理アイコン”Geometry”のタッチ位置に前記タッチ位置ポインタＭｓが一定時間識別表示された後に、当該図形処理アイコン”Geometry”に応じた動作が実行され、前記電卓メニュー画面Ｇｍに替えて図形処理画面Ｇｋが表示データメモリ１５ａに展開され（ステップＳ９）、タッチパネル表示部１４に表示されると共に、プロジェクタ２０へ出力されてスクリーン３０に投影表示される（ステップＳ５）。
【００３９】
これにより、スクリーン３０上に投影表示された電卓メニュー画面Ｇｍを見ている生徒であっても、教師によりタッチ操作されたアイコンが図形処理アイコン”Geometry”であることを明確に把握することでき、図形処理画面Ｇｋに切り替えられた際に、その意図を確実に理解できるようになる。
【００４０】
ここで、図４（Ｂ）では、図形処理画面Ｇｋにおいて、ユーザ操作に応じて三角形ＡＢＣが描画表示され、当該三角形ＡＢＣの各辺に処理対象としての選択マークｑ１，ｑ２，…が付加された状態を示している。
【００４１】
例えば、前記三角形ＡＢＣのみが描画表示された図形処理画面Ｇｋにおいて、図４（Ｂ）に示すように、当該図形処理画面Ｇｋの上端に沿って配置されたツールバーのツールボタン（例えば図形選択ボタンＢｑ）がタッチ操作されたと判断されると（ステップＳ２，Ｓ６，Ｓ１０（Ｙｅｓ））、当該図形選択ボタンＢｑが反転表示ｈされると共に、タッチ操作位置の座標データに応じて合成データメモリ１５ｃにタッチ位置ポインタＰが書き込まれ、前記図形選択ボタンＢｑのタッチ位置に合成されて一定時間表示される（ステップＳ１１）。この際、前記タッチ位置ポインタＰは赤色で識別されて表示される。
【００４２】
そして、前記図形選択ボタンＢｑのタッチ位置に前記タッチ位置ポインタＰが一定時間識別表示された後、当該図形選択ボタンＢｑに応じた動作が実行され、図形処理画面Ｇｋに表示中の三角形ＡＢＣの各辺に選択マークｑ１，ｑ２，…が付加されて表示される（ステップＳ１２，Ｓ５）。
【００４３】
これにより、プロジェクタ２０によりスクリーン３０上に投影表示された図形処理画面Ｇｋを見ている生徒であっても、教師によりタッチ操作されたツールボタンが図形選択ボタンＢｑであることを明確に把握することでき、表示中の三角形ＡＢＣに選択マークｑ１，ｑ２，…が付加された際に、その意図を確実に理解できるようになる。
【００４４】
ここで、前記選択マークｑ１，ｑ２，…の付加された三角形ＡＢＣを図形処理画面Ｇｋ内でコピーする場合に、当該選択された三角形ＡＢＣがタッチされドラッグされると（ステップＳ２，Ｓ１３（Ｙｅｓ））、そのドラッグの対象が軌跡表示の必要な対象（本実施形態では「数式」）であるか否か判断される（ステップＳ１４）。
【００４５】
そして、前記ドラッグの対象である三角形ＡＢＣについて、軌跡表示の対象ではないと判断されると（ステップＳ１４（Ｎｏ））、図４（Ｃ）に示すように、ドラッグ操作に応じて順次更新検出されるタッチ位置の座標に対応して前記選択マークｑ１，ｑ２，…付きの三角形ＡＢＣがコピーされ三角形ＤＥＦとして移動表示されると共に、タッチ位置ポインタＭｔもリアルタイムに合成移動されて表示される（ステップＳ１５）。
【００４６】
この際、図形処理画面Ｇｋにはメッセージ“移動中”ｍが表示され、前記タッチ位置ポインタＭｔは赤色で識別されて表示される。
【００４７】
この後、図４（Ｄ）に示すように、前記図形処理画面Ｇｋ上でコピーされドラッグされた三角形ＤＥＦがドロップされると（ステップＳ１６（Ｙｅｓ））、タッチ位置ポインタＭｔは消去され、ドロップされた位置にコピーされた三角形ＤＥＦが表示される（ステップＳ１７，Ｓ５）。
【００４８】
これにより、プロジェクタ２０によりスクリーン３０上に投影表示された図形処理画面Ｇｋを見ている生徒であっても、選択された三角形ＡＢＣが教師によりタッチされた後、コピーされた三角形ＤＥＦがドラッグされる過程を明確に把握することでき、当該コピーされた三角形ＤＥＦがドロップされた際に、その意図を確実に理解できるようになる。
【００４９】
図５は、前記タッチパネル式グラフ関数電卓１０のタッチ操作に応じた電卓画面Ｇのプロジェクタ表示動作（具体例２）を示す図である。
【００５０】
図５（Ａ）に示すように、式入力画面ｇａとグラフ表示画面ｇｂとが上下に配置されてなる電卓画面Ｇにおいて、式入力画面ｇａに表示された関数式「ｘ２＋２ｘ−２」に対応するグラフをグラフ表示画面ｇｂに表示させる場合に、当該式入力画面ｇａの関数式「ｘ２＋２ｘ−２」がタッチされて反転表示ｈされドラッグされると（ステップＳ２，Ｓ１３（Ｙｅｓ））、そのタッチ操作の対象が軌跡表示の必要な対象「数式」であると判断される（ステップＳ１４（Ｙｅｓ））。
【００５１】
すると、前記関数式「ｘ２＋２ｘ−２」に対する最初のタッチ位置に対応してタッチ位置ポインタＭ１が赤色で合成されて表示されると共に、図５（Ｂ）→図５（Ｃ）に示すように、ドラッグ操作に応じて順次検出更新されるタッチ位置に対応して前記関数式「ｘ２＋２ｘ−２」が移動表示され（ステップＳ１８）、一定時間（又は一定間隔）毎に移動軌跡ポインタＭ２，Ｍ３，Ｍ４も合成されて表示される（ステップＳ１９）。この際、最新のタッチ位置に対応する移動軌跡ポインタＭ４は点滅により識別されて表示される。
【００５２】
この後、前記式入力画面ｇａからグラフ表示画面ｇｂにドラッグされた関数式「ｘ２＋２ｘ−２」がドロップされると（ステップＳ２０（Ｙｅｓ））、前記関数式「ｘ２＋２ｘ−２」のタッチ＆ドラッグ操作に応じて合成表示された一連の移動軌跡ポインタＭ１〜Ｍ４は、一定時間表示保持された後に消去される（ステップＳ２１）。
【００５３】
すると、前記グラフ表示画面ｇｂにドロップされた関数式「ｘ２＋２ｘ−２」に対応するグラフが描画されて表示される（ステップＳ２２，Ｓ５）。
【００５４】
これにより、プロジェクタ２０によりスクリーン３０上に投影表示された電卓画面Ｇを見ている生徒であっても、数式入力画面ｇａの関数式「ｘ２＋２ｘ−２」が教師によりタッチされた後、グラフ表示画面ｇｂまでドラッグされる軌跡を明確に把握することでき、当該関数式「ｘ２＋２ｘ−２」がドロップされて対応するグラフが描画表示された際に、その意図を確実に理解できるようになる。
【００５５】
したがって、前記構成のタッチパネル式グラフ関数電卓１０を使用した第１実施形態のプロジェクタ表示システムによれば、タッチパネル表示部１４に対する教師のタッチ操作Ｔが検出されると、実行中の動作状態に対応した電卓画面Ｇ，Ｇｍ，Ｇｋ上に、そのタッチ操作Ｔの対象に応じたタッチ位置ポインタＭｓ，Ｍｔや移動軌跡ポインタＭ１〜Ｍｎが合成されて表示され、プロジェクタ２０に出力されるので、スクリーン３０に投影表示された電卓画面Ｇ，Ｇｍ，Ｇｋ等を見ている生徒であっても、グラフ関数電卓１０のタッチパネル表示部１４（各種の動作に応じた電卓画面）に対する教師によるタッチ操作の内容を明確に把握して、その意図を容易に理解できるようになる。
【００５６】
なお、前記構成のタッチパネル式グラフ関数電卓１０を使用した第１実施形態のプロジェクタ表示システムでは、タッチ操作Ｔの対象に応じたタッチ位置ポインタＭｓ，Ｍｔや移動軌跡ポインタＭ１〜Ｍｎは、合成データメモリ１５ｃに書き込み、表示データメモリ１５ａに展開してタッチパネル表示部１４に表示中の各種の電卓画面Ｇ，Ｇｍ，Ｇｋに合成して表示させる構成とした。これに対し、前記タッチ操作Ｔの対象に応じたタッチ位置ポインタＭｓ，Ｍｔや移動軌跡ポインタＭ１〜Ｍｎは、前記表示データメモリ１５ａに展開した各種の電卓画面Ｇ，Ｇｍ，Ｇｋに直接書き込み合成して表示させる構成としてもよい。
【００５７】
また、前記第１実施形態のプロジェクタ表示システムでは、タッチパネル式グラフ関数電卓１０自身において、各種の電卓画面Ｇ，Ｇｍ，Ｇｋに対するタッチ操作Ｔの対象に応じたタッチ位置ポインタＭｓ，Ｍｔや移動軌跡ポインタＭ１〜Ｍｎを合成して表示させ、プロジェクタ２０へ出力する構成とした。これに対し、次の第２実施形態のプロジェクタ表示システムにおいて説明するように、タッチパネル式グラフ関数電卓１０からタッチ操作Ｔに伴う対象や座標のデータをプロジェクタ２０へ出力し、当該プロジェクタ２０において、前記グラフ関数電卓１０から受信された各種の電卓画面Ｇ，Ｇｍ，Ｇｋに対して、前記タッチ操作Ｔの対象に応じたタッチ位置ポインタＭｓ，Ｍｔや移動軌跡ポインタＭ１〜Ｍｎを合成して表示させる構成としてもよい。
【００５８】
（第２実施形態）
図６は、本発明の第２実施形態に係るプロジェクタ表示システムに使用されるプロジェクタ２０の電子回路の構成を示すブロック図である。
【００５９】
このプロジェクタ２０は、コンピュータであるＣＰＵ２１を備えている。
【００６０】
ＣＰＵ２１は、記憶装置２２に予め記憶されるか外部から読み込まれたプロジェクタ制御プログラムに基づき、タッチパネル式グラフ関数電卓１０から通信インターフェイス２３を介して受信される電卓画面のデータと当該電卓画面上での教師のタッチ操作に伴うタッチ位置の座標やタッチ対象のデータに応じて回路各部の動作を制御し、スクリーン３０に投影する表示データを生成する。
【００６１】
前記ＣＰＵ２１には作業用メモリとして機能するＲＡＭ２４が接続され、当該ＲＡＭ２４には、ＣＰＵ２１の制御動作に応じた作業用のデータが必要に応じて一時的に記憶される。
【００６２】
前記ＲＡＭ２４には、表示データメモリ２４ａ、受信画面データメモリ２４ｂ、タッチ座標データメモリ２４ｃ、ドラッグ軌跡座標データメモリ２４ｄ等が備えられる。
【００６３】
前記表示データメモリ２４ａには、投影部２５によりスクリーン３０へ投影して表示すべき表示データが展開されて記憶される。
【００６４】
前記受信画面データメモリ２４ｂには、前記タッチパネル式グラフ関数電卓１０から受信された電卓画面のデータが記憶される。
【００６５】
前記タッチ座標データメモリ２４ｃには、前記タッチパネル式グラフ関数電卓１０から受信された当該関数電卓１０のタッチパネル表示部１４にて検出されたタッチ操作Ｔの位置に対応した座標データが記憶される。
【００６６】
前記ドラッグ軌跡座標データメモリ２４ｄには、前記タッチ座標データメモリ２４ｃに記憶される座標データが連続的に変化（移動）した場合に、その変化（移動）開始から終了までの軌跡に対応した座標データが記憶される。
【００６７】
なお、この第２実施形態のプロジェクタ表示システムでは、タッチパネル式グラフ関数電卓１０は、当該関数電卓１０自身のタッチパネル表示部１４に表示させる電卓画面のデータをプロジェクタ２０へ出力する機能と共に、前記タッチパネル表示部１４にて検出された電卓画面上でのタッチ操作位置の座標データ及びその対象データをプロジェクタ２０へ出力する機能を有する。
【００６８】
次に、前記構成のタッチパネル式グラフ関数電卓１０およびプロジェクタ２０を使用した第２実施形態のプロジェクタ表示システムの動作について説明する。
【００６９】
図７は、前記タッチパネル式グラフ関数電卓１０による第２実施形態の電卓処理を示すフローチャートである。
【００７０】
図８は、前記プロジェクタ２０による第２実施形態のプロジェクタ処理を示すフローチャートである。
【００７１】
タッチパネル式グラフ関数電卓１０の電源がＯＮされ、プロジェクタ２０との接続が検知されると（ステップＡ１（Ｙｅｓ））、キー入力部１３またはタッチパネル表示部１４からのユーザ操作に応じた入力待ちの状態となる（ステップＡ２）。
【００７２】
ここで、キー入力部１３からキー信号が入力されると（ステップＡ３（Ｙｅｓ））、入力されたキー信号に応じた動作が実行されて電卓画面Ｇが生成され（ステップＡ４）、タッチパネル表示部１４に表示されると共に（ステップＡ５）、出力インターフェイス１６からプロジェクタ２０へ出力される（ステップＡ６）。
【００７３】
プロジェクタ２０において、前記グラフ関数電卓１０から出力された電卓画面Ｇが受信されると（ステップＢ１（Ｙｅｓ））、当該電卓画面Ｇのデータは受信画面データメモリ２４ｂに書き込まれて保存され（ステップＢ２）、投影部２５を介してスクリーン３０に投影表示される（ステップＢ３）。
【００７４】
すなわち、タッチパネル式関数電卓１０において、例えば数式がキー入力されると、当該キー入力された数式を展開した電卓画面Ｇが、タッチパネル表示部１４に表示されると共にプロジェクタ２０へ出力され、スクリーン３０へ投影表示される。
【００７５】
一方、タッチパネル式関数電卓１０において、図４（Ａ）で示したように、タッチパネル表示部１４に電卓メニュー画面Ｇｍを表示させた入力待ちの状態で（ステップＡ２）、任意のアイコン（例えば図形処理アイコン”Geometry”）がタッチ操作されたと判断されると（ステップＡ７，Ａ８（Ｙｅｓ））、当該タッチ操作位置の座標データとその対象データ（アイコンデータ）とがプロジェクタ２０へ出力される（ステップＡ９）。
【００７６】
プロジェクタ２０において、前記グラフ関数電卓１０から出力された図形処理アイコン”Geometry”に対するタッチ位置の座標データとその対象データ（アイコンデータ）とが受信されると（ステップＢ４（Ｙｅｓ））、表示データメモリ２４ａに展開されてスクリーン３０へ投影表示されている前記電卓メニュー画面Ｇｍ上に、前記タッチ位置の座標に対応してタッチ位置ポインタＭｓが合成されて表示される（ステップＢ５）。
【００７７】
この後、グラフ関数電卓１０においては、前記タッチ操作された図形処理アイコン”Geometry”に応じた動作が実行され、前記電卓メニュー画面Ｇｍに替えて図形処理画面Ｇｋがタッチパネル表示部１４に表示されると共に（ステップＡ１０）、プロジェクタ２０へ出力される（ステップＡ６）。
【００７８】
プロジェクタ２０において、前記グラフ関数電卓１０から出力された図形処理画面Ｇｋが受信され受信画面データメモリ２４ｂが書き替えられると（ステップＢ６（Ｙｅｓ））、一定時間経過の後、表示データメモリ２４ａも同図形処理画面Ｇｋに書き替えられ（ステップＢ７）、スクリーン３０へ投影表示される（ステップＢ３）。
【００７９】
これにより、スクリーン３０上に投影表示された電卓メニュー画面Ｇｍを見ている生徒であっても、教師によりタッチ操作されたアイコンが図形処理アイコン”Geometry”であることを明確に把握することでき、その後、図形処理画面Ｇｋに切り替えられた際に、その意図を確実に理解できるようになる。
【００８０】
次に、タッチパネル式グラフ関数電卓１０で、例えば三角形ＡＢＣのみが描画表示された図形処理画面Ｇｋ（図４（Ｂ）参照）において、当該図形処理画面Ｇｋの上端に沿って配置されたツールバーのツールボタン（例えば図形選択ボタンＢｑ）がタッチ操作されたと判断されると（ステップＡ２，Ａ７，Ａ１１（Ｙｅｓ））、当該図形選択ボタンＢｑが反転表示ｈされると共に、タッチ操作位置の座標データとその対象データ（ツールデータ）とがプロジェクタ２０へ出力される（ステップＡ１２）。
【００８１】
プロジェクタ２０において、前記グラフ関数電卓１０から出力された図形選択ボタンＢｑに対するタッチ位置の座標データとその対象データ（ツールデータ）とが受信されると（ステップＢ８（Ｙｅｓ））、表示データメモリ２４ａに展開されてスクリーン３０へ投影表示されている前記図形処理画面Ｇｋ上に、前記タッチ位置の座標に対応してタッチ位置ポインタＰが合成され（ステップＢ９），一定時間そのタッチ位置が表示される（ステップＢ１０）。
【００８２】
この後、グラフ関数電卓１０において、前記タッチ操作された図形選択ボタンＢｑに応じた動作が実行され、図形処理画面Ｇｋに表示中の三角形ＡＢＣの各辺に選択マークｑ１，ｑ２，…が付加されて表示されると（ステップＡ１３）、当該更新された図形処理画面Ｇｋがプロジェクタ２０へ出力される（ステップＡ６）。
【００８３】
すると、プロジェクタ２０において、前記グラフ関数電卓１０から受信された更新後の図形処理画面Ｇｋが、表示データメモリ２４ａからスクリーン３０へ投影されて表示される（ステップＢ１，Ｂ２，Ｂ３）。
【００８４】
これにより、プロジェクタ２０によりスクリーン３０上に投影表示された図形処理画面Ｇｋを見ている生徒であっても、教師によりタッチ操作されたツールボタンが図形選択ボタンＢｑであることを明確に把握することでき、表示中の三角形ＡＢＣに選択マークｑ１，ｑ２，…が付加された際に、その意図を確実に理解できるようになる。
【００８５】
ここで、前記グラフ関数電卓１０において、選択マークｑ１，ｑ２，…の付加された三角形ＡＢＣを図形処理画面Ｇｋ内でコピーする場合に、当該選択された三角形ＡＢＣがタッチされドラッグされると（ステップＡ２，Ａ１４（Ｙｅｓ））、ドラッグ操作に応じて順次検出更新されるタッチ位置の座標データが取得され、この座標データの更新に応じて前記三角形ＡＢＣがコピーされた三角形ＤＥＦが生成されて移動表示される（ステップＡ１５）。
【００８６】
この後、図４（Ｄ）に示すように、前記図形処理画面Ｇｋ上でコピーされドラッグされた三角形ＤＥＦがドロップされると（ステップＡ１６（Ｙｅｓ））、ドロップされた位置にコピーされた三角形ＤＥＦが表示される（ステップＡ１７）。
【００８７】
ここで、前記ドラッグ＆ドロップされてコピーされた三角形ＤＥＦについて、その対象が軌跡表示の必要な対象（本実施形態では「数式」）であるか否か判断され（ステップＡ１８）、軌跡表示の対象ではないと判断されると（ステップＡ１８（Ｎｏ））、当該コピーされた三角形ＤＥＦが表示される図形処理画面Ｇｋの表示データが、プロジェクタ２０へ出力され（ステップＡ６）、スクリーン３０へ投影表示される（ステップＢ１〜Ｂ３）。
【００８８】
また、式入力画面ｇａとグラフ表示画面ｇｂとが上下に配置されてなる電卓画面Ｇ（図５（Ａ）参照）において、式入力画面ｇａに表示された関数式「ｘ２＋２ｘ−２」に対応するグラフをグラフ表示画面ｇｂに表示させる場合に、当該式入力画面ｇａの関数式「ｘ２＋２ｘ−２」がタッチされて反転表示ｈされドラッグされると（ステップＡ２，Ａ１４（Ｙｅｓ））、ドラッグ操作に応じて順次検出更新されるタッチ位置の座標データが取得され、この座標データの更新に応じて前記反転表示ｈされた関数式「ｘ２＋２ｘ−２」がグラフ表示画面ｇｂへ移動表示される（ステップＡ１５）。
【００８９】
この後、図５（Ｃ）に示すように、前記グラフ表示画面ｇｂ上でドラッグされた関数式「ｘ２＋２ｘ−２」がドロップされると（ステップＡ１６（Ｙｅｓ））、ドロップされた位置に関数式「ｘ２＋２ｘ−２」が反転表示ｈされた後、当該関数式「ｘ２＋２ｘ−２」に対応するグラフが描画されて表示される（ステップＡ１７）。
【００９０】
ここで、前記ドラッグの対象が軌跡表示の必要な対象「数式」であると判断されると（ステップＡ１８（Ｙｅｓ））、前記ステップＡ１５にて取得されたドラッグ位置の軌跡に応じた各座標データがプロジェクタ２０へ出力された後に（ステップＡ１９）、前記ステップＡ１７においてグラフ表示画面ｇｂに移動後の関数式「ｘ２＋２ｘ−２」とそのグラフが描画されてなる電卓画面Ｇの表示データがプロジェクタ２０へ出力される（ステップＡ６）。
【００９１】
プロジェクタ２０において、前記グラフ関数電卓１０から出力された関数式「ｘ２＋２ｘ−２」の移動に伴う各座標データが受信されると（ステップＢ１１（Ｙｅｓ））、図５（Ｃ）に示すように、当該各座標データに従いタッチ位置の移動の軌跡に対応した移動軌跡ポインタＭ１，Ｍ２，Ｍ３，Ｍ４が、スクリーン３０へ投影表示中の電卓画面Ｇ上に合成されて表示され（ステップＢ１２）、さらにこの後、前記グラフ関数電卓１０から受信されたグラフ表示画面ｇｂに移動後の関数式「ｘ２＋２ｘ−２」とそのグラフが描画されてなる電卓画面Ｇの表示データがスクリーン３０へ投影されて表示される（ステップＢ１〜Ｂ３）。
【００９２】
これにより、プロジェクタ２０によりスクリーン３０上に投影表示された電卓画面Ｇを見ている生徒であっても、数式入力画面ｇａの関数式「ｘ２＋２ｘ−２」が教師によりタッチされた後、グラフ表示画面ｇｂまでドラッグされる軌跡を明確に把握することでき、当該関数式「ｘ２＋２ｘ−２」がドロップされて対応するグラフが描画表示された際に、その意図を確実に理解できるようになる。
【００９３】
したがって、前記構成の第２実施形態のプロジェクタ表示システムによれば、グラフ関数電卓１０のタッチパネル表示部１４に対する教師のタッチ操作Ｔが検出されると、実行中の動作状態に対応したタッチ操作の対象データとタッチ位置の座標データとがプロジェクタ２０へ出力され、さらに当該タッチ操作に応じて変化した電卓画面Ｇ，Ｇｍの表示データがプロジェクタ２０へ出力される。するとプロジェクタ２０において、前記グラフ関数電卓１０から受信されてスクリーン３０へ投影表示される各種の電卓画面Ｇ，Ｇｍ上に、前記タッチ操作の対象に応じたタッチ位置ポインタＭｓや移動軌跡ポインタＭ１〜Ｍｎが合成されて表示されるので、当該スクリーン３０に投影表示された電卓画面Ｇ，Ｇｍ等を見ている生徒であっても、グラフ関数電卓１０のタッチパネル表示部１４（各種の動作に応じた電卓画面）に対する教師によるタッチ操作の内容を明確に把握して、その意図を容易に理解できるようになる。
【００９４】
なお、前記第２実施形態のプロジェクタ表示システムにおいて、タッチパネル式グラフ関数電卓１０からプロジェクタ２０へ出力するタッチ位置の座標データには、プロジェクタ２０によって各種のポインタＭｓ，Ｍ１〜Ｍｎを合成表示させる際の当該ポインタの形状や点滅時間の情報も付加して出力してもよい。この場合、ポインタの形状情報としては、ポインタそれ自体のビットマップデータとしてもよいし、形状に応じて予め定義されたコードデータとしてもよい。
【００９５】
また、前記タッチパネル式グラフ関数電卓１０からプロジェクタ２０へ出力するタッチ位置の座標データには、プロジェクタ２０において前記タッチ位置の座標データに対応する各種のポインタＭｓ，Ｍ１〜Ｍｎを合成表示させてから次の電卓画面Ｇに切り替える迄の時間の情報を付加して出力してもよい。
【００９６】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００９７】
以下に、本願出願の当初の特許請求の範囲に記載された発明を付記する。
【００９８】
［１］
タッチパネル付き表示部を有する電子機器において、
前記タッチパネルにタッチ操作された位置を検出するタッチ位置検出手段と、
このタッチ位置検出手段によりタッチ操作の位置が検出された際に、当該タッチ操作の位置に対応する前記表示部に表示中の表示内容を判断するタッチ対象判断手段と、
前記タッチ位置検出手段により検出されたタッチ操作の位置を示す目印を、前記タッチ対象判断手段により判断された表示内容に応じた表示形態で、前記表示部に表示中の表示データに合成するタッチ位置合成手段と、
前記表示部に表示中の表示データをプロジェクタへ出力する表示データ出力手段と、
を備えたことを特徴とする電子機器。
【００９９】
［２］
前記タッチ位置合成手段により前記タッチ操作の位置を示す目印を前記表示部に表示中の表示データに合成してから一定時間後に、当該表示部に表示中の表示データを次の表示データに切り替える表示データ切り替え手段を備えたことを特徴とする［１］に記載の電子機器。
【０１００】
［３］
前記タッチ位置合成手段は、前記タッチ位置検出手段により検出されたタッチ操作の位置を示す目印を、前記タッチ対象判断手段により判断された表示内容に応じた表示形態で、前記表示部に表示中の表示データに一定時間合成する、
ことを特徴とする［１］に記載の電子機器。
【０１０１】
［４］
前記タッチ位置合成手段は、前記タッチ位置検出手段により検出されたタッチ操作の位置が移動する場合に、当該移動するタッチ位置の軌跡を示す目印を、前記表示部に表示中の表示データに一定時間合成する、
ことを特徴とする［１］に記載の電子機器。
【０１０２】
［５］
タッチパネル付き表示部を有する電子機器とプロジェクタからなるプロジェクタ表示システムにおいて、
前記電子機器は、
前記表示部に表示中の表示データをプロジェクタへ出力する表示データ出力手段と、
前記タッチパネルにタッチ操作された位置を検出するタッチ位置検出手段と、
このタッチ位置検出手段によりタッチ操作の位置が検出された際に、当該タッチ操作の位置に対応して前記表示部に表示中の表示内容を判断するタッチ対象判断手段と、
前記タッチ位置検出手段により検出されたタッチ操作の位置情報と前記タッチ対象判断手段により判断された当該タッチ操作の位置に対応する表示内容の情報とを前記プロジェクタへ出力するタッチ情報出力手段とを備え、
前記プロジェクタは、
前記電子機器から受信された表示データを投影する表示データ投影手段と、
前記電子機器から受信されたタッチ操作の位置情報と当該タッチ操作の位置に対応する表示内容の情報とに基づき、前記電子機器のタッチパネルに対するタッチ操作の位置を示す目印を、前記表示内容に応じた表示形態で、前記表示データ投影手段により投影中の表示データに合成するタッチ位置合成手段とを備えた、
ことを特徴とするプロジェクタ表示システム。
【符号の説明】
【０１０３】
１０  …タッチパネル式グラフ関数電卓
１１  …ＣＰＵ
１２  …記憶装置
１３  …キー入力部
１４  …タッチパネル表示部
１５  …ＲＡＭ
１５ａ…表示データメモリ
１５ｂ…タッチ座標データメモリ
１５ｃ…合成データメモリ
１６  …出力インターフェイス
２０  …プロジェクタ
２１  …ＣＰＵ
２２  …記憶装置
２３  …通信インターフェイス
２４  …ＲＡＭ
２４ａ…表示データメモリ
２４ｂ…受信画面データメモリ
２４ｃ…タッチ座標データメモリ
２４ｄ…ドラッグ軌跡座標データメモリ
２５  …投影部
３０  …スクリーン
Ｇ，Ｇｍ，Ｇｋ…電卓画面
ｇａ  …式入力画面
ｇｂ  …グラフ表示画面
ｈ    …反転表示
Ｔ    …タッチ操作
Ｈ    …移動軌跡
Ｂｑ  …図形選択ボタン
Ｍｓ，Ｐ…タッチ位置ポインタ
Ｍ１〜Ｍｎ…移動軌跡ポインタ
【図１】
0005879880.tif 000002
【図２】
0005879880.tif 000003
【図３】
0005879880.tif 000004
【図４】
0005879880.tif 000005
【図５】
0005879880.tif 000006
【図６】
0005879880.tif 000007
【図７】
0005879880.tif 000008
【図８】
0005879880.tif 000009